(57)【特許請求の範囲】
【請求項１】
ナイキスト定理を満足するサンプリング周波数によってサンプリングされたサンプリングデータを一つおきに抽出する手段と、
抽出された上記サンプリングデータのうち少なくとも互いに隣合うサンプリングデータから平均値データを得る手段と、
上記平均値データに対応する非抽出サンプリングデータと上記平均値データとから補間用誤差データと、上記各補間用誤差データの符号の正負を示す極性データとを得、上記補間用誤差データを複数個用いて、平均誤差データを得る手段と、
上記平均誤差データと上記極性データと上記抽出サンプリングデータを伝送する手段とを備えてなる送受信装置であって、
受信側において、
少なくとも互いに隣接する抽出サンプリングデータの差分を求め、
非抽出サンプリングデータの周辺の抽出サンプリングデータのうち、上記非抽出サンプリングデータより前方の抽出サンプリングデータ間の第１の差分と上記非抽出サンプリングデータより後方の抽出サンプリングデータ間の第２の差分とを夫々形成し、
上記第１及び第２の差分の符号の正負が同一の場合には、第１の重み付け係数と上記極性データが付与された平均誤差データとを乗じ、上記第１及び第２の差分の符号の正負が異なる場合には、上記第１の重み付け係数より大きい第２の重み付け係数と上記極性データが付与された平均誤差データとを乗じ、重み付け誤差データを生成し、
上記平均値データを上記重み付け誤差データにより補正することで上記非抽出サンプリングデータとなる補間データを生成する
ようにしたことを特徴とする送受信装置。
【請求項２】
上記第１の差分は、
上記非抽出サンプリングデータより前の２つの抽出サンプリングデータ間の差分であることを特徴とする請求項１に記載の送受信装置。
【請求項３】
上記第２の差分は、
上記非抽出サンプリングデータより後の２つの抽出サンプリングデータ間の差分であることを特徴とする請求項１に記載の送受信装置。
【請求項４】
ナイキスト定理を満足するサンプリング周波数によってサンプリングされたサンプリングデータを一つおきに抽出するステップと、
抽出された上記サンプリングデータのうち少なくとも互いに隣合うサンプリングデータから平均値データを得るステップと、
上記平均値データに対応する非抽出サンプリングデータと上記平均値データとから補間用誤差データと、上記各補間用誤差データの符号の正負を示す極性データとを得、上記補間用誤差データを複数個用いて、平均誤差データを得るステップと、
上記平均誤差データと上記極性データと上記抽出サンプリングデータを伝送するステップとを備えてなる送受信方法であって、
受信側において、
少なくとも互いに隣接する抽出サンプリングデータの差分を求め、
非抽出サンプリングデータの周辺の抽出サンプリングデータのうち、上記非抽出サンプリングデータより前方の抽出サンプリングデータ間の第１の差分と上記非抽出サンプリングデータより後方の抽出サンプリングデータ間の第２の差分とを夫々形成し、
上記第１及び第２の差分の符号の正負が同一の場合には、第１の重み付け係数と上記極性データが付与された平均誤差データとを乗じ、上記第１及び第２の差分の符号の正負が異なる場合には、上記第１の重み付け係数より大きい第２の重み付け係数と上記極性データが付与された平均誤差データとを乗じ、重み付け誤差データを生成し、
上記平均値データを上記重み付け誤差データにより補正することで上記非抽出サンプリングデータとなる補間データを生成する
ようにしたことを特徴とする送受信方法。
【発明の詳細な説明】
【０００１】
【産業上の利用分野】
この発明は高品位テレビ信号等のように取り扱う周波数帯域が広帯域な信号を伝送する場合に使用する送受信装置および方法に関する。
【０００２】
【従来の技術】
例えば、高品位画像を再現するためのビデオ信号は現行の信号帯域よりもはるかに広い帯域を占有するので、このような広帯域ビデオ信号をディジタル化する。その例として、ＶＴＲに記録し、またＶＴＲより再生する場合には記録帯域が広くなり、ハードウェアの実現が容易ではない。
【０００３】
上記問題点を解決する一例として、広帯域ビデオ信号を帯域圧縮する方法が考えられる。この方法は、広帯域ビデオ信号をサンプリング周波数ｆ0 （ナイキスト定理を満たす。）でサンプリングして得たサンプリングデータを１つおきに抽出し、抽出されたサンプリングデータのみを伝送、即ち、この例は記録するものである。
【０００４】
この装置によれば図５に示すようにサンプリング周波数ｆ0 の１／２の周波数のサブサンプリング周波数ｆs で広帯域ビデオ信号５０をサンプリングした場合とほぼ等価になって周波数帯域を６０％程度まで圧縮することができる。
【０００５】
しかし、このサブサンプリング周波数ｆs を使用した場合には広帯域ビデオ信号の信号再現性が余り良くないので、再生系は処理を施すことにより非抽出サンプリングデータを補間する必要がある。データの補間には隣接する一対の抽出サンプリングデータから平均値データ、即ち、補間データを生成すればよい。
【０００６】
例えば、図６に示すようにサンプリング点Ｐ１，Ｐ２，‥‥はサンプリング周波数ｆ0 を使用したときのサンプリング点であり、このサンプリング間隔で入力信号５１の広帯域ビデオ信号をサンプリングし、奇数番目のサンプリング点Ｐ１，Ｐ３，‥‥（サブサンプリング周波数ｆs を使用した時のサンプリング点）のサンプリングデータのみがＶＴＲに記録され、再生時にはこれら奇数番目のサンプリングデータの互いに隣合うサンプリングデータの平均値データを補間データとして使用する。
【０００７】
こうすれば、再生系においてもサンプリング周波数ｆ0 を満足するため、広帯域ビデオ信号を再現できる。しかし、信号再現性は極めて悪い。即ち、平均値補間後の広帯域ビデオ信号は図６の再生信号５２のようになり、広帯域ビデオ信号の入力信号５１とはかなり違った再生信号として復元される。これは、サンプリングデータのうち非抽出サンプリングデータを参照せず、単純に平均値補間しているためである。
【０００８】
そこで、かかる問題点を解決するために本出願人は、上述のような方法で帯域圧縮されて伝送される信号の復元を良好にして忠実度の高い信号を再現できるようにした帯域圧縮信号伝送装置を提案している（特開昭６１−１３１９８５号公報参照）。
【０００９】
【発明が解決しようとする課題】
先に提案されている出願では、所定数の非抽出サンプリングデータに対する補間データとして、平均値に対して一律に所定極性の平均誤差データを加えたものを使用している。かかる方法では、平均誤差データを求めた所定数のサンプリングデータの一部にレベルが平坦な部分が含まれるときに、必要以上の修正がされたり、または、レベル変化の屈曲点を補間する時には修正が不充分となる問題点があった。
【００１０】
従って、この発明の目的はレベルが平坦な部分や、レベル変化が屈曲点を有するときでも、より良好な補間データを得ることができる送受信装置および方法を提供することにある。
【００１１】
【課題を解決するための手段】
請求項１に記載の発明は、ナイキスト定理を満足するサンプリング周波数によってサンプリングされたサンプリングデータを一つおきに抽出する手段と、抽出されたサンプリングデータのうち少なくとも互いに隣合うサンプリングデータから平均値データを得る手段と、平均値データに対応する非抽出サンプリングデータと平均値データとから補間用誤差データと、各補間用誤差データの符号の正負を示す極性データとを得、補間用誤差データを複数個用いて、平均誤差データを得る手段と、平均誤差データと極性データと抽出サンプリングデータを伝送する手段とを備えてなる送受信装置であって、受信側において、少なくとも互いに隣接する抽出サンプリングデータの差分を求め、非抽出サンプリングデータの周辺の抽出サンプリングデータのうち、非抽出サンプリングデータより前方の抽出サンプリングデータ間の第１の差分と非抽出サンプリングデータより後方の抽出サンプリングデータ間の第２の差分とを夫々形成し、第１及び第２の差分の符号の正負が同一の場合には、第１の重み付け係数と極性データが付与された平均誤差データとを乗じ、第１及び第２の差分の符号の正負が異なる場合には、第１の重み付け係数より大きい第２の重み付け係数と極性データが付与された平均誤差データとを乗じ、重み付け誤差データを生成し、平均値データを重み付け誤差データにより補正することで非抽出サンプリングデータとなる補間データを生成するようにしたことを特徴とする送受信装置である。
請求項４に記載の発明は、ナイキスト定理を満足するサンプリング周波数によってサンプリングされたサンプリングデータを一つおきに抽出するステップと、抽出されたサンプリングデータのうち少なくとも互いに隣合うサンプリングデータから平均値データを得るステップと、平均値データに対応する非抽出サンプリングデータと平均値データとから補間用誤差データと、各補間用誤差データの符号の正負を示す極性データとを得、補間用誤差データを複数個用いて、平均誤差データを得るステップと、平均誤差データと極性データと抽出サンプリングデータを伝送するステップとを備えてなる送受信方法であって、受信側において、少なくとも互いに隣接する抽出サンプリングデータの差分を求め、非抽出サンプリングデータの周辺の抽出サンプリングデータのうち、非抽出サンプリングデータより前方の抽出サンプリングデータ間の第１の差分と非抽出サンプリングデータより後方の抽出サンプリングデータ間の第２の差分とを夫々形成し、第１及び第２の差分の符号の正負が同一の場合には、第１の重み付け係数と極性データが付与された平均誤差データとを乗じ、第１及び第２の差分の符号の正負が異なる場合には、第１の重み付け係数より大きい第２の重み付け係数と極性データが付与された平均誤差データとを乗じ、重み付け誤差データを生成し、平均値データを重み付け誤差データにより補正することで非抽出サンプリングデータとなる補間データを生成するようにしたことを特徴とする送受信方法である。
【００１２】
具体的には、エンコード側においては、サンプリング周波数ｆ0 によってサンプリングされたサンプリングデータを１つおきに抽出し、抽出されたサンプリングデータの少なくとも互いに隣合うサンプリングデータから平均値データを得る。平均値データに対応する非抽出サンプリングデータと平均値データとから誤差データ及び極性を得る。そして、誤差データを複数個用いた平均誤差データと、極性を複数個用いた極性データそして、抽出サンプリングデータを夫々伝送する。
【００１３】
受信側においては、少なくとも互いに隣接するサンプリングデータから補間点において平均値データを得ると共に、平均誤差データを少なくとも互いに隣接するサンプリングデータの差分の極性に応じて重み付けをしたものを平均値データに加えて補間データとすることで、入力信号を再生する。
【００１４】
【作用】
このように平均値データに平均誤差データを隣接サンプリングデータの変化の度合いに応じて加えることにより補間しているので、平均値データ単独で補間する場合に比べ、各補間点におけるデータの誤差が少なくなる。しかも、平均誤差データを使用しているため、補間データの誤差が平均化される。
【００１５】
【実施例】
以下、この発明の帯域圧縮信号伝送装置を、上記広帯域ビデオ信号を記録／再生するディジタルＶＴＲに適応した場合の一実施例について説明する。
【００１６】
まず、帯域圧縮された広帯域ビデオ信号（ディジタル信号）をどのように形成するかについて説明する。図１において、入力信号１は帯域圧縮すべき広帯域ビデオ信号である。平均再生信号２はサンプリング周波数ｆ0 の１／２でサンプリング後、補間値を算出し再生した信号である。再生信号３はこの発明の補間値を加味し再生した信号である。
【００１７】
入力信号１上の白い各ドットがサンプリング周波数ｆ0 によってサンプリングされるポイントで、Ａ，Ｂ，Ｃ，Ｄ，‥‥，Ｉ，Ｊ，Ｋ，‥‥はサンプリングデータ（量子化ビットは例えば、８ビット）である。これらのサンプリングデータのうち奇数番目のサンプリングデータ即ち、サンプリングデータＡ，Ｂ，Ｃ，Ｄ，‥‥が抽出されて記録される抽出サンプリングデータであり、偶数番目のサンプリングデータＩ，Ｊ，Ｋ，‥‥は再生系において補間処理によって算出される非抽出サンプリングデータである。
【００１８】
抽出サンプリングデータＡ，Ｂ，Ｃ，Ｄ，‥‥の互いに隣合うデータから求められる補間点の平均値データＩ’，Ｊ’，Ｋ’，‥‥と、補間点に対応する非抽出サンプリングデータＩ，Ｊ，Ｋ，‥‥との差から補間点における誤差データεi 及び極性Ｑi が算出される。補間点ｉ，ｊ，ｋ，‥‥の誤差データεi 及び極性Ｑi は夫々次のようになる。
【００１９】
ε１＝｜（Ａ＋Ｂ）／２−Ｉ｜，Ｑ１＝０
ε２＝｜（Ｂ＋Ｃ）／２−Ｊ｜，Ｑ２＝０
ε３＝｜（Ｃ＋Ｄ）／２−Ｋ｜，Ｑ３＝１
・                ・
・                ・
【００２０】
図１の場合、Ｉ＞Ｉ’（＝（Ａ＋Ｂ）／２）で、Ｊ＞Ｊ’（＝（Ｂ＋Ｃ）／２）で、Ｋ＜Ｋ’（＝（Ｃ＋Ｄ）／２）であるから、ε１、ε２は負、ε３は正となる。
【００２１】
この例ではεi ＜０であるとき、極性を示すビットＱi は“０”、逆にεi ＞０であるとき、極性を示すビットＱi は“１”であるとすれば、図１の場合における極性Ｑi は上記のようになる。
【００２２】
さて、このような誤差データεi 及び極性Ｑi はｎ個のサンプリングポイントにわたって求められた後、誤差データεi の平均値が求められる。ｎはディジタル信号処理を容易にするため、２のべき乗として与えられる。ｎは８，１６，‥‥等の数をとりうるが、この例ではｎ＝８とした。そのため、平均誤差データ（８ビットデータ）εは、
【００２３】
ε＝（ε１＋ε２＋‥‥＋ε８）／８
となる。極性Ｑi は８ビット（Ｑ１〜Ｑ８）まとめて１サンプルの極性データＱとなされる。
【００２４】
このようにして求められた平均誤差データεと極性データＱと、８個のサンプリングポイントでの抽出サンプリングデータＡ，Ｂ，‥‥Ｈまとめて１ブロックデータＳD が構成される。このようなブロックデータの集合が、帯域圧縮後におけるビデオ信号の伝送形態となる。ブロックデータＳD のデータ系列の一例を図２に示す。抽出サンプリングデータＡ，Ｂ，‥‥ＨをビデオデータブロックＳVDとする。
【００２５】
再生側では、図２に示すブロックデータＳD からサンプリングポイントの抽出サンプリングデータＡ，Ｂ，‥‥Ｈで構成されたビデオデータブロックＳVDをデコードするとともに、このビデオデータブロックＳVDと平均誤差データε及び極性データＱから補間データＩ”，Ｊ”，Ｋ”，‥‥が算出される。
【００２６】
そのため、まず互いに隣合う抽出サンプリングデータＡ〜Ｈから補間点ｉ，ｊ，ｋ，‥‥における平均値データＩ’，Ｊ’，Ｋ’，‥‥が算出され、次に、これらの平均値データＩ’，Ｊ’，Ｋ’，‥‥に極性Ｑi によって設定された極性をもつ平均誤差データεが加工されて合成される。加工の方法は後述する。
【００２７】
一方、互いに隣合う抽出サンプリングデータＡ〜Ｈからその隣合う抽出サンプリングデータの差分値Ｔi が夫々計算される。ここで、
Ｔ１＝Ａ−Ｂ
Ｔ２＝Ｂ−Ｃ
Ｔ３＝Ｃ−Ｄ
・
・
である。
【００２８】
これらの隣合う抽出サンプリングデータの差分値Ｔi を使用して、例えば、補間点ｊの位置の平均値データＪ’に合成する平均誤差データεに対して処理を施す。
【００２９】
まず、補間点ｊの周辺のＴ１とＴ３の極性を見ることを行なう。夫々が同じ極性（両方とも正、又は両方とも負）の場合、上記で求めた平均値データＪ’に合成する平均誤差データεに対して１より小さい重み付け係数α（例えば０．５）を掛けた上で合成する。また、Ｔ１とＴ３の極性が互いに異なる場合は、補間点がレベル変化の屈曲点と推測できるので、上記で求めた平均値データＪ’に合成する平均誤差データεに対して１より大きい重み付け係数α（例えば１．５）を掛けた上で合成する。つまり、
εi ’＝ε×αi
Ｔi ×Ｔi+2 ≦０の場合：αi ＝１．５
Ｔi ×Ｔi+2 ＞０の場合：αi ＝０．５
【００３０】
として、極性Ｑi が“０”のときに重み付け誤差データεi ’が加算され、極性Ｑi が“１”のときに重み付け誤差データにεi ’が減算される。従って、図１の場合、補間点ｉ，ｊ，ｋ，‥‥の補間データは、極性Ｑi がＱ１＝“０”，Ｑ２＝“０”，Ｑ３＝“１”であるから、補間データＩ”，Ｊ”，Ｋ”，‥‥は下記のようになる。
【００３１】
Ｉ”＝（Ａ＋Ｂ）／２＋ε１’
Ｊ”＝（Ｂ＋Ｃ）／２＋ε２’
Ｋ”＝（Ｃ＋Ｄ）／２−ε３’
・
・
このような補間データＩ”，Ｊ”，Ｋ”，‥‥を図示すれば、図１のようになり、平均誤差データεを周辺の抽出サンプリングデータの状況に応じて処理を施したεi ’を加えることによって、再生される再生信号３がより一層に、入力信号１に近づくことが判る。
【００３２】
このように平均誤差データεを使用した符号化方式を“平均誤差符号化方式”と呼称すれば、この平均誤差符号化方式を採用した帯域圧縮方式によると帯域圧縮率は、上記のように１ブロックデータが８個のサンプリングポイントの抽出サンプリングデータ（８ビット）Ａ〜Ｈと、平均誤差データε（８ビット）と、極性データＱ（８ビット）で構成されている場合には、サンプリングポイントが１６個となるため、
圧縮率＝（８＋８＋８×８）／（８×１６）＝０．６２５
【００３３】
即ち、広帯域ビデオ信号は６２．５％に圧縮されて伝送されることになる。もちろん、サンプリングポイントを３２個にすれば、広帯域信号を５０％程度の圧縮に近づけることができる。
【００３４】
図３及び図４は上述したこの発明にかかる帯域圧縮信号伝送方法を実現する一具体例を示し、図３は帯域圧縮ビデオ信号形成用エンコーダの一実施例である。入力端子１０には８ビットデータにディジタル変換されたサンプリングデータＡ，Ｂ，Ｃ，Ｄ，‥‥Ｉ，Ｊ，Ｋ，‥‥が供給され、これがサブサンプリングデータのストア回路１１に供給されて、８個のサブサンプリングデータ、即ち図２のビデオデータブロックＳVDを単位としてストアされる。
【００３５】
また、入力端子１０に供給されたサンプリングデータＡ，Ｂ，Ｃ，Ｄ，‥‥Ｉ，Ｊ，Ｋ，‥‥は直列接続された遅延回路１２及び１３（遅延時間はサンプリング周波数ｆ0 分の１）を介して平均値化回路１４に供給される。平均値化回路１４は加算器１５と、１ビットだけデータをシフトさせるシフト回路１６とで構成される。加算器１５には入力端子１０に供給されたサンプリングデータと遅延回路１３の出力データが供給されて、シフト回路１６から平均値データＩ’，Ｊ’，Ｋ’，‥‥が出力される。
【００３６】
減算器１７では、上記平均値データＩ’，Ｊ’，Ｋ’，‥‥から遅延回路１２の出力である非抽出サンプリングデータＩ，Ｊ，Ｋ，‥‥を減算し誤差データεi が形成され、平均値化回路１８に供給されることにより、８個の誤差データε１〜ε８に基づいて平均誤差データεが算出される。
【００３７】
誤差データεi はさらに判別回路１９に供給されて誤差データεi 及び極性Ｑi が夫々判別される。極性データＱ、平均誤差データε及びビデオデータブロックＳVDは変換回路２０において図２に示すようなデータに配列され、出力端子２１から出力される。
【００３８】
このようにして形成された帯域圧縮ビデオ信号は再生系に設けられたデコーダに供給されて、帯域が元通りに伸張される。
【００３９】
図４はこのような操作を行なう帯域圧縮ビデオ信号用のデコーダの一実施例を示し、この回路系にも平均値化回路３０が設けられる。平均値化回路３０は加算器３１とシフト回路３２とで構成され、加算器３１には入力端子３３に得られる帯域圧縮されたビデオデータブロックＳVDを構成する抽出サンプリングデータＡ，Ｂ，Ｃ，‥‥Ｈが、遅延回路３４（遅延時間はサブサンプリング周波数ｆs 分の１）で遅延された抽出サンプリングデータＡ，Ｂ，Ｃ，‥‥Ｈと、さらに遅延回路３５（遅延時間はサブサンプリング周波数ｆs 分の１）で遅延された抽出サンプリングデータＡ，Ｂ，Ｃ，‥‥Ｈが供給されて補間点ｉ，ｊ，ｋ，‥‥における平均値データが形成される。
【００４０】
一方、ブロックデータＳD のうち、平均誤差データεが遅延回路３４で遅延されたのちエラーレジスタ３７に供給され、また極性データＱは極性レジスタ３９に供給されて８ビットの極性データＱがストアされる。極性データＱはサブサンプリング周波数ｆs 毎にサブサンプリングデータに対応した極性Ｑi が出力される。極性付与回路３８ではエラーレジスタ３７より送出された平均誤差データεに極性Ｑi が付与される。
【００４１】
また、入力端子３３に得られる帯域圧縮されたビデオデータブロックＳVDから減算器４０は抽出サンプリングデータＡ，Ｂ，Ｃ，Ｄ，‥‥Ｈを遅延回路３４で遅延された抽出サンプリングデータＡ，Ｂ，Ｃ，Ｄ，‥‥Ｈから減算し、その出力は重み付け判定回路４２に入力される。減算器４１は遅延回路３５で遅延された抽出サンプリングデータＡ，Ｂ，Ｃ，Ｄ，‥‥Ｈを遅延回路３６で遅延された抽出サンプリングデータＡ，Ｂ，Ｃ，Ｄ，‥‥Ｈから減算し、その出力は重み付け判定回路４２に入力される。
【００４２】
重み付け判定回路４２では、減算器４０と減算器４１から入力された値の極性を夫々判定し、例えば、同符号なら重み付け係数α＝０．５、異符号なら重み付け係数α＝１．５を掛け算器４３に出力する。一方、極性付与回路３８ではエラーレジスタ３７より送出された平均誤差データεに補間値の極性に応じた極性が付与されており（±ε）、掛け算器４３で重み付け係数αと掛け算がなされ、重み付け誤差データεi ’が出力される。
【００４３】
重み付け誤差データεi ’は平均値化回路３０から平均値データＩ’，Ｊ’，Ｋ’，‥‥と加算器４４で加算されて、目的とする補間データＩ”，Ｊ”，Ｋ”，‥‥が形成される。変換回路４５では、補間データＩ”，Ｊ”，Ｋ”，‥‥が、遅延回路３５より出力された抽出サンプリングデータＡ，Ｂ，Ｃ，Ｄ，‥‥Ｈの間に補間データＩ”，Ｊ”，Ｋ”，‥‥が挿入されたサンプリングデータＡ，Ｉ”，Ｂ，Ｊ”，Ｃ，Ｋ”，Ｄ，‥‥が形成され、出力端子４６より出力する。
【００４４】
このサンプリングデータは補間データを含むので、そのサンプリング周波数はｆ0 となり、帯域は元通りに伸張される。
【００４５】
なお、この例では１次元のブロックの例を示したが、２次元のブロックに拡張することは容易である。また、上述では広帯域ビデオ信号を帯域圧縮してディジタルＶＴＲに記録／再生する場合に、この発明を適応したが、その他の信号伝送系にもこの発明を適応することができるとともに、取り扱う信号としてはビデオ信号に限らず、その他の広帯域信号にも応用可能である。
【００４６】
【発明の効果】
以上説明したように、この発明によれば広帯域信号を帯域圧縮して伝送する場合、その再生側で補間信号を形成する際、単純に平均値補間をする従来方法とは異なり、抽出サンプリングデータから形成された平均値データに平均誤差データをその極性及び周辺の変化の状況を加味しながら加えるような平均値誤差符号化方式を採用したので、補間点における真のサンプリングデータに対する補間データの誤差が僅少となる。この場合、平均値データに加えられる誤差データは複数のサンプリングポイントにおける平均誤差データを周囲の状況に応じて加工したものを用いているため、補間データの誤差が平均化される。
【００４７】
そのため、伝送された信号の再現性が大幅に改善され、ビデオ信号の記録／再生系に適応する場合には画質の良い信号を得ることができる。しかも、この発明によれば、この発明に係る伝送方式を実現するための具体的手段の構成が比較的簡単であるため、従来のハードウェアに多少のハードウェアを付加するだけでよい。このようなことから、この発明では高品位画像を得るために広帯域ビデオ信号を記録／再生するような場合に適応して極めて好適である。
【図面の簡単な説明】
【図１】この発明に係る帯域圧縮信号伝送装置の説明のための略線図である。
【図２】符号化されたブロックデータの一例である。
【図３】帯域圧縮ビデオ信号形成用のエンコーダの一実施例である。
【図４】帯域圧縮ビデオ信号形成用のデコーダの一実施例である。
【図５】この発明の説明に供するサンプリング周波数の説明図である。
【図６】従来の帯域圧縮信号伝送方法の説明図である。
【符号の説明】
３０  平均値化回路
３３  入力端子
３４，３５，３６  遅延回路
３７  エラーレジスタ
３８  極性付与回路
３９  極性レジスタ
４０，４１  減算器
４２  重み付け判定回路
４３  掛け算器
４４  加算器
【図１】
0003648748.tif 000002
【図２】
0003648748.tif 000003
【図３】
0003648748.tif 000004
【図４】
0003648748.tif 000005
【図５】
0003648748.tif 000006
【図６】
0003648748.tif 000007